(57)【要約】【課題】複数の音源より出力される音響信号毎の音量の相違を低減させ、また、音響信号内での著しい音量変動を抑制させること。【解決手段】音量制御装置１は、複数の音源の中から選択された一の音源の種別に基づいてオフセット値を設定するオフセット値設定手段３と、オフセット値設定手段３により設定されたオフセット値に基づいて信号レベルのオフセット処理を行うオフセット処理手段５と、音響信号における信号レベルの変動状態に応じた補正量を用いて、音量変動の抑制処理を行う第１変動量補正手段５と、複数の音源の中から一の音源が選択されたときを基準として、当該基準から第１所定時間が経過するまでの間に、第１変動量補正手段５よりも大きな補正量を用いて、音量変動の抑制処理を行う第２変動量補正手段６とを備える。【選択図】図１
2011066604.tif 000002
【特許請求の範囲】
【請求項１】
複数の音源の中から選択された一の音源の種別に基づいてオフセット値を設定するオフセット値設定手段と、
前記一の音源より出力される音響信号に対し、前記オフセット値設定手段により設定されたオフセット値に基づいて信号レベルのオフセット処理を行うオフセット処理手段と、
前記オフセット処理手段によりオフセット処理が行われた前記音響信号に対し、当該音響信号における信号レベルの変動状態に応じた補正量を用いて、音量変動の抑制処理を行う第１変動量補正手段と、
前記複数の音源の中から前記一の音源が選択されたときを基準として、当該基準から第１所定時間が経過するまでの間に、前記第１変動量補正手段により音量変動の抑制処理が行われた前記音響信号に対し、前記第１変動量補正手段よりも大きな補正量を用いて、音量変動の抑制処理を行う第２変動量補正手段と
を備えることを特徴とする音量制御装置。
【請求項２】
前記第２変動量補正手段は、前記複数の音源の中から前記一の音源が選択されたときを基準として、前記第１変動量補正手段により音量変動の抑制処理が行われた前記音響信号の信号レベルを、音源毎に予め設定された所定レベルだけ低減させ、その後に前記第１所定時間が経過するまでの間、前記音量変動の抑制処理において設定される補正量を、当該時間の経過に対応させて変動させること
を特徴とする請求項１に記載の音量制御装置。
【請求項３】
前記第１変動量補正手段は、
前記複数の音源の中から前記一の音源が選択された場合において、当該音源が選択されたときを基準として第２所定時間が経過するまでの間、前記音響信号における信号レベルの変動状態に拘わらず補正量を増大させて前記音量変動の抑制処理を実行すること
を特徴とする請求項１または請求項２に記載の音量制御装置。
【発明の詳細な説明】
【技術分野】
【０００１】
本発明は、音量制御装置に関し、より詳細には、音響信号における著しい音量変動を抑制させるための処理を行うことが可能な音量制御装置に関する。
【背景技術】
【０００２】
今日では、ＡＭラジオやＦＭラジオなどのアナログ音源に基づく音楽や、ＣＤやＤＶＤ等のデジタル音源に基づく音楽など、様々な記録形式で記録された（様々な音源の）音楽を聴くことが可能となっている。
【０００３】
オーディオ装置には、様々な音源を選択するための音源選択ボタンなど（セレクタやタッチパネルなど）が設けられており、聴取者は、これらの音源選択ボタンを操作して音源を選択することによって、好みの音楽を再生することが可能となっている（特許文献１参照）。
【先行技術文献】
【特許文献】
【０００４】
【特許文献１】特開２００７−２２８３３６号公報（第３−４頁、第２図）
【発明の開示】
【発明が解決しようとする課題】
【０００５】
しかしながら、ＣＤやＤＶＤ等のメディアに記録される音楽のオーディオ符号化形式は、そのメディア毎に異なるものとなっている。例えば、ＣＤに採用されているオーディオ符号化形式は、リニアＰＣＭ（Pulse Code Modulation）であり、一方で、ＤＶＤに採用されているオーディオ符号化形式はＡＣ−３（Audio Code number3）やＤＴＳ（Digital Theater System）等である。一般に、リニアＰＣＭは、比較的高い音量で収録され、ＡＣ−３やＤＴＳは、広いダイナミックレンジを確保するために、全体的に低い音量で収録されている。そのため、聴取者がＣＤからＤＶＤ、あるいはＤＶＤからＣＤへと再生するメディアの種類（つまり、音源）を変更する場合には、所望の音量になるようにオーディオ装置の音量を再度調整する必要があった。
【０００６】
また、アクション映画とクラシック映画、ロックミュージックとクラシックミュージック等のように、記録されるメディアが同じであっても、記録される音楽や映像のジャンルが異なる場合には、そのジャンルに応じて異なる音量で音楽が記録されている。このため、聴取者は、同一のメディアであってもジャンルを変える毎に、所望の音量になるようにオーディオ装置の音量を再度調整する必要があった。
【０００７】
さらに、ＡＭラジオチューナーを通して放送される音楽（音声）、ＦＭラジオチューナーを通して放送される音楽（音声）、アナログテレビチューナーを通して放送される音楽（音声）、デジタルテレビチューナーを通して放送される音楽（音声）などは、それぞれの放送事業者毎に音量設定が異なっており、受信チャンネルを切り替えるたびにオーディオ装置の音量を調整する必要があった。
【０００８】
また、近年では携帯用オーディオプレーヤーに多くの音楽データを記録させ、この携帯用オーディオプレーヤーより出力される音楽を、ヘッドフォン等を用いて聴く人たちも多く存在する。このため、例えば、車の運転時に携帯用オーディオプレーヤーに記録される音楽を、外部入力端子等を介して車載用のオーディオ装置で再生させる場合もある。このようにして音楽の再生を行う場合には、携帯用オーディオプレーヤーにおける音量調節機能と、車載用のオーディオ装置における音量調節機能との重複した音量調整が行われることになるため、所望の音量になるように再度、音量調整する必要があった。
【０００９】
本発明は上記問題に鑑みてなされたものであり、複数の音源より出力される音響信号毎の音量の相違を低減させ、また、音響信号内での著しい音量変動を抑制させることが可能な音量制御装置を提供することを課題とする。
【課題を解決するための手段】
【００１０】
上記課題を解決するために、本発明に係る音量制御装置は、複数の音源の中から選択された一の音源の種別に基づいてオフセット値を設定するオフセット値設定手段と、前記一の音源より出力される音響信号に対し、前記オフセット値設定手段により設定されたオフセット値に基づいて信号レベルのオフセット処理を行うオフセット処理手段と、前記オフセット処理手段によりオフセット処理が行われた前記音響信号に対し、当該音響信号における信号レベルの変動状態に応じた補正量を用いて、音量変動の抑制処理を行う第１変動量補正手段と、前記複数の音源の中から前記一の音源が選択されたときを基準として、当該基準から第１所定時間が経過するまでの間に、前記第１変動量補正手段により音量変動の抑制処理が行われた前記音響信号に対し、前記第１変動量補正手段よりも大きな補正量を用いて、音量変動の抑制処理を行う第２変動量補正手段とを備えることを特徴とする。
【００１１】
聴取者などが複数の音源の中からいずれかの音源を選択して当該音源から出力される音響信号をスピーカなどの出力手段から出力させる場合において、一般的に、出力される音響信号の音量（信号レベル）は、音源毎にばらばらに（統一感なく）設定される傾向があるため、そのまま出力手段より出力させると、出力音の音量が音源毎に顕著な差となって現れる場合がある。このような場合、聴取者は、音源を変更する毎に、聴取者自身で音量調節つまみ等を調節して個別に音量を調整する必要が生じていた。
【００１２】
このため、本発明に係る音量制御装置では、予め音響信号に対して音源に応じたオフセット処理を施す構成を採用している。このように、音源の種別を考慮したオフセット処理を予め行うことによって、音源の相違に基づく音量の顕著な差を、予め改善することができるので、その後に行う第１変動量補正手段および第２変動量補正手段による音量変動の抑制処理を迅速かつ適切に行うことが容易となる。
【００１３】
また、第１変動量補正手段において、音響信号における信号レベルの変動状態に応じた補正量を用いて音量変動の抑制処理を行うことにより、聴取者が音楽などの聴取中に違和感を感じてしまう程、音量の変動が生じ得る場合であっても、自動的に音量の変動抑制補正を行うことが可能となり、聴取者が聴取し易い音量状態を実現することが容易となる。
【００１４】
特に、オフセット処理手段によりオフセット処理が施された音響信号に対して第１変動量補正手段が音量変動の抑制処理を行うので、音源に適した音量の変動抑制をより効果的に実行することが可能となる。
【００１５】
さらに、第１変動量補正手段においては、音響信号における信号レベルの変動状態に応じた補正量を用いて音量変動の抑制処理を行うため、例えば、音量の変化量が大きい場合には、大きな補正量を用いて迅速に音量補正を行う（変動量が大きい場合には補正量を高めに設定することにより補正量を増大させて音量補正を行う）ことができ、音量の変動量が小さい場合には、小さな補正量を用いて緩やかに音量補正を行う（変動量が小さい場合には補正量を低めに設定することにより補正量を低減させて音量補正を行う）ことが可能となり、音量変化状態に応じたバランスの良い補正を行うことが可能となる。
【００１６】
一方で、第１変動量補正手段を用いて音量補正を行う場合であっても、音源が変更された場合などにおいては、通常の音響信号内で生じ得る音量変化よりも著しく大きな音量変動を生じるおそれがある。このように音量変動が著しく大きい場合には、第１変動量補正手段において信号レベルの変動状態に応じた補正量を用いて音量補正を行っても、音量変動に対する聴取者の違和感を解消させるほど効果的な音量の変動抑制補正を行うことが困難となる場合が生じ得る。
【００１７】
このため、本発明に係る音量制御装置は、複数の音源の中から一の音源が選択された場合に、つまり、音源の変更に伴って著しい音量の変動が生じ得る場合に、この選択時を基準として第１所定時間が経過するまでの間、第２変動量補正手段を用いて前記第１変動量補正手段よりも大きな補正量に基づいて迅速に音源の変動量補正を行う。このように第２変動量補正手段を用いて迅速に音源の変動量補正を行うことにより、第１変動量補正手段では十分に音量変動を抑制することが困難な場合であっても、効果的に音量変動の抑制処理を行うことが可能となる。
【００１８】
なお、上述した第１所定時間とは、第２変動量補正手段を用いることにより著しい音量変化を十分に抑制することが可能な時間であって、音源選択（変更）に伴って音楽が開始された場合において、音量変動の抑制処理が行われていることを聴取者が意識しにくい時間を一例として設定することが可能である。
【００１９】
例えば、楽曲の演奏が主として行われるＣＤなどの音源においては、音楽の出だし部分に数秒のブランクなどが設定される場合があり、このブランクの時間以内の時間を第１所定時間として設定して第２変動量補正手段による音量補正を完了させることにより、聴取者に音量変動の抑制処理を意識させることなく処理を完了させることが可能となる。
【００２０】
また、第２変動量補正手段による音量変動の抑制処理は、複数の音源の中から一の音源が選択されたときを基準として、当該基準から第１所定時間が経過するまでの間に行われることになるが、第１所定時間の開始時は、複数の音源の中から一の音源が選択されたときを基準とするものであれば、音源の選択がなされると同時であってもよく、また音源選択がなされてから所定の時間経過後（つまり、遅延時間を設定した後）であってもよい。
【００２１】
例えば、音源の選択（変更）が行われた場合であっても、選択と同時に音源からの音楽信号が出力されるとは限らず、音源によっては、音楽データの読み出しなどにより僅かな時間差が生じる場合もあり得る。このため、音源変更後に所定の時間経過（遅延時間）が生ずる場合であっても、音量変動の抑制処理を効果的に実行することが可能である。
【００２２】
また、上述した音量制御装置において、前記第２変動量補正手段は、前記複数の音源の中から前記一の音源が選択されたときを基準として、前記第１変動量補正手段により音量変動の抑制処理が行われた前記音響信号の信号レベルを、音源毎に予め設定された所定レベルだけ低減させ、その後に前記第１所定時間が経過するまでの間、前記音量変動の抑制処理において設定される補正量を、当該時間の経過に対応させて変動させるものであってもよい。
【００２３】
上述したように、第２変動量補正手段は、音量変動が著しく大きい場合などにおいて、第１変動量補正手段により変動量に応じた音量補正を行っても、音量変動に対する聴取者の違和感を解消させるほど効果的な音量の変動抑制を行うことが困難となる場合が生じ得るときに、その効果を奏するものである。従って、第１変動量補正手段と同様に、音響信号における信号レベルの変動状態に応じた補正量を用いて音量変動の抑制処理を行う構成とし、その補正量を単に第１変動量補正手段よりも増大させただけでは、その効果を確実に実現することが困難となる場合がある。このため、本発明に係る音量制御装置では、複数の音源の中から一の音源が選択されたときを基準として、音響信号における信号レベルの変動状態に拘わらず、音源毎に予め設定された所定レベルだけ音響信号の音量を瞬時に低減させることにより、効果的に音量変動の抑制を行うことが可能となる。
【００２４】
さらに、その後に第１所定時間が経過するまでの間、音量変動の抑制処理において設定される補正量を、当該時間（第１所定時間）の経過に対応させて変動させることにより、瞬時に信号レベルが低減された後に、違和感のない音量状態になるように音量変動の抑制処理を行うことが可能となる。
【００２５】
さらに、上述した音量制御装置において、前記第１変動量補正手段は、前記複数の音源の中から前記一の音源が選択された場合において、当該音源が選択されたときを基準として第２所定時間が経過するまでの間、前記音響信号における信号レベルの変動状態に拘わらず補正量を増大させて前記音量変動の抑制処理を実行するものであってもよい。
【００２６】
上述したように、第１変動量補正手段を用いて音量変動の抑制処理を行う場合であっても、音源が変更された場合などにおいては、通常の音響信号内で生じ得る音量変動よりも著しく大きな音量変動を生じるおそれがあり、第１変動量補正手段で音量補正を行っても、効果的に音量変動の抑制処理を行うことが困難となる場合が生じ得る。このため、第１変動量補正手段においても、複数の音源の中から一の音源が選択された場合に、第２所定時間が経過するまでの間、音響信号における信号レベルの変動状態に拘わらず補正量を増大させて音量変動の抑制処理を迅速に実行することにより、第１音量補正手段において、音源の選択（切替）時に生じ得る著しい音量変動を効果的に抑制することが可能となる。
【００２７】
なお、音響信号における信号レベルの変動状態に拘わらず補正量を増大させて音量変動の抑制処理を行う時間である第２所定時間は、補正量が音量の変動状態に拘わらず一定量に設定されるおそれがあるため、あまり長い時間になると、却って、補正が著しいものとなってしまうおそれがある。このため、好ましくは第２所定時間を第１所定時間よりも短い時間に設定することにより、音源の選択（変更）直後の短い時間のみ積極的に第１変動量補正手段を用いて第２所定時間の間だけ音量抑制処理を行い、その後は、第２変動量補正手段を用いて第１所定時間だけ音量抑制処理を行うことが好ましいといえる。
【発明の効果】
【００２８】
本発明に係る音量制御装置では、予め音響信号に対して音源の種別に応じたオフセット処理を施す構成を採用しているため、音源の相違に基づく音量の顕著な差を、予め改善することができ、その後に行う第１変動量補正手段および第２変動量補正手段による音量変動の抑制処理を迅速かつ適切に行うことが容易となる。
【００２９】
また、第１変動量補正手段において、音響信号における信号レベルの変動状態に応じた補正量を用いて音量変動の抑制処理を行うことにより、聴取者が音楽などの聴取中に違和感を感じてしまう程、音量の変動が生じ得る場合であっても、自動的に音量の変動抑制補正を行うことが可能となり、聴取者が聴取し易い音量状態を実現することが容易となる。
【００３０】
特に、オフセット処理手段によりオフセット処理が施された音響信号に対して第１変動量補正手段が音量変動の抑制処理を行うので、音源に適した音量の変動抑制をより効果的に実行することが可能となる。
【００３１】
さらに、本発明に係る音量制御装置では、複数の音源の中から一の音源が選択された場合に、つまり、音源の変更に伴って著しい音量の変動が生じ得る場合には、この選択時を基準として第１所定時間が経過するまでの間に、第２変動量補正手段を用いて第１変動量補正手段よりも大きな補正量に基づいて迅速に音源の変動量補正を行うことにより、第１変動量補正手段では十分に音量変動を抑制することが困難な場合であっても、効果的に音量変動の抑制処理を行うことが可能となる。
【図面の簡単な説明】
【００３２】
【図１】本実施の形態に係る音量制御装置の概略構成を示したブロック図である。
【図２】本実施の形態に係る音量制御装置において、音源選択信号により音源が変更されるタイミングと、遅延選択信号により音源が変化されたと判断され得る音源の変更のタイミングと、遅延選択信号による音源の変更のタイミングに対応してオン／オフ設定（Ｈｉｇｈ／Ｌｏｗ設定）が行われる固定制御信号の状態とを時系列的に対比して示した図である。
【図３】（ａ）は、本実施の形態に係るリミッタオフセット信号の信号特性を示した図であり、（ｂ）は、本実施の形態に係るミュート信号の信号特性を示した図である。
【図４】本実施の形態に係る音源選択部の概略構成を示したブロック図である。
【図５】本実施の形態に係るダイナミックレンジ制御部の概略構成を示したブロック図である。
【図６】本実施の形態に係る第１レベル検出部の概略構成を示したブロック図である。
【図７】入力信号が音楽の場合において、本実施の形態に係る第１最大値検出部で検出される最大値検出信号と、本実施の形態に係る実効値検出部および本実施の形態に係る第１ゲインオフセット部を介して検出されるレベル検出信号との信号波形を示した図である。
【図８】本実施の形態に係るアタックリリース時間制御部の概略構成を示したブロック図である。
【図９】本実施の形態に係る第１レベル制御部の概略構成を示したブロック図である。
【図１０】（ａ）は、本実施の形態に係るアタックリリース係数テーブル部におけるアタック時間変換テーブルの対応関係を示し、（ｂ）はリリース時間変換テーブルの対応関係を示した図である。
【図１１】本実施の形態に係るダイナミックレンジ制御部で入力信号の音量制御を行う場合における、音源毎の制御範囲（ｄＢ）と、最大制御量と、入力オフセットの情報とを、音源毎に対比して示した図である。
【図１２】本実施の形態に係る第１ルックアップテーブル部の音源毎のレベル変換特性を示した図であり、（ａ）は音源がＣＤの場合におけるレベル変換特性を示し、（ｂ）は音源がＤＴＶの場合におけるレベル変換特性を示している。
【図１３】本実施の形態に係る第１ルックアップテーブル部の音源毎のレベル変換特性を示した図であり、（ａ）は音源がラジオの場合におけるレベル変換特性を示し、（ｂ）は音源がＡＵＸの場合におけるレベル変換特性を示している。
【図１４】入力信号が音楽信号である場合における本実施の形態に係る音量制御装置のレベル検出信号と、アタックリリース出力信号と、ルックアップ出力信号（ダイナミックレンジ制御信号）との波形状態を示した図である。
【図１５】本実施の形態に係るリミッタ部の概略構成を示したブロック図である。
【図１６】本実施の形態に係る第２ルックアップテーブル部のレベル変換特性を示した図である。
【図１７】本実施の形態に係る出力制御部の概略構成を示したブロック図である。
【図１８】本実施の形態に係る音量抑制処理における処理結果の一例を示した第１の図であり、（ａ）は音源選択情報、（ｂ）は音源選択部より出力される信号の振幅、（ｃ）はダイナミックレンジ制御部より出力される信号の振幅、（ｄ）は出力制御部より出力される信号の振幅を示している。
【図１９】は、本実施の形態に係る音量抑制処理における処理結果の一例を示した第２の図であり、（ａ）は音源選択情報、（ｂ）は音源選択部より出力される信号の振幅、（ｃ）はダイナミックレンジ制御部より出力される信号の振幅、（ｄ）は出力制御部より出力される信号の振幅を示している。
【図２０】は、本実施の形態に係る音量抑制処理における処理結果の一例を示した第３の図であり、（ａ）は音源選択情報、（ｂ）は音源選択部より出力される信号の振幅、（ｃ）はダイナミックレンジ制御部より出力される信号の振幅、（ｄ）は出力制御部より出力される信号の振幅を示している。
【図２１】は、本実施の形態に係る音量抑制処理における処理結果の一例を示した第４の図であり、（ａ）は音源選択情報、（ｂ）は音源選択部より出力される信号の振幅、（ｃ）はダイナミックレンジ制御部より出力される信号の振幅、（ｄ）は出力制御部より出力される信号の振幅を示している。
【図２２】は、本実施の形態に係る音量抑制処理における処理結果の一例を示した第５の図であり、（ａ）は音源選択情報、（ｂ）は音源選択部より出力される信号の振幅、（ｃ）はダイナミックレンジ制御部より出力される信号の振幅、（ｄ）は出力制御部より出力される信号の振幅を示している。
【図２３】は、本実施の形態に係る音量抑制処理における処理結果の一例を示した第６の図であり、（ａ）は音源選択情報、（ｂ）は音源選択部より出力される信号の振幅、（ｃ）はダイナミックレンジ制御部より出力される信号の振幅、（ｄ）は出力制御部より出力される信号の振幅を示している。
【図２４】は、本実施の形態に係る音量抑制処理における処理結果の一例を示した第７の図であり、（ａ）は音源選択情報、（ｂ）は音源選択部より出力される信号の振幅、（ｃ）はダイナミックレンジ制御部より出力される信号の振幅、（ｄ）は出力制御部より出力される信号の振幅を示している。
【図２５】は、本実施の形態に係る音量抑制処理における処理結果の一例を示した第８の図であり、（ａ）は音源選択情報、（ｂ）は音源選択部より出力される信号の振幅、（ｃ）はダイナミックレンジ制御部より出力される信号の振幅、（ｄ）は出力制御部より出力される信号の振幅を示している。
【発明を実施するための最良の形態】
【００３３】
以下、本発明に係る音量制御装置について、図面を用いて詳細に説明を行う。
【００３４】
図１は、音量制御装置１の概略構成を示したブロック図である。音量制御装置１には、図示を省略した複数の音源より、各音源に対応した入力信号（音響信号）の入力が行われる。本実施の形態では、コンパクトディスクプレーヤー（以下、ＣＤとする）、デジタルテレビ（以下、ＤＴＶとする）、ラジオ（ＡＭラジオおよびＦＭラジオ）、外部入力（以下ＡＵＸとする）の４種類の音源より、それぞれの音源に対応する入力信号が入力されるものとし、それぞれの音源において各入力信号の音量設定が予めなされているものとする。但し、予め設定される各入力信号の音量設定は、各音源において独自に設定されるものであり、必ずしも全ての入力信号の音量が一定となるように調整されたものには限られない。
【００３５】
また、音量制御装置１の各機能部により所定の音量処理（音量変動の抑制処理）が行われた出力信号（音楽信号）は、図示を省略するスピーカ等の出力装置へと出力されて、聴取者に聴取可能な状態となる。
【００３６】
音量制御装置１は、図１に示すように、システム制御部（オフセット値設定手段）３と、音源選択部４と、ダイナミックレンジ制御部（オフセット処理手段、第１変動量補正手段）５と、リミッタ部（第２変動量補正手段）６と、出力制御部７とを有している。
【００３７】
［システム制御部］
まず、システム制御部３について説明を行う。システム制御部３は、ユーザにより選択された音源の種別に基づいて、音源の種別に対応する制御信号を、それぞれの機能部４〜７に対して出力する役割を有している。システム制御部３には、図１に示すように、聴取者により選択された音源の種別を示した音源選択信号が入力される。本実施の形態においては、オーディオ装置の操作パネルなどに設けられる音源選択ボタンの押下操作に連動して音源の種別が判断され、判断された音源の種別に関する信号が、音源選択信号としてシステム制御部３に入力されるものとする。
【００３８】
具体的には、音源選択ボタンの押下操作により音源の種別としてＣＤが選択された場合には、押下操作に連動して音源の種別としてＣＤが選択された旨の音源選択信号が、システム制御部３に入力され、音源選択ボタンの押下操作により音源の種別としてＤＴＶが選択された場合には、押下操作に連動して音源の種別としてＤＴＶが選択された旨の音源選択信号が、システム制御部３に入力され、音源選択ボタンの押下操作により音源の種別としてラジオが選択された場合には、押下操作に連動して音源の種別としてラジオが選択された旨の音源選択信号が、システム制御部３に入力され、音源選択ボタンの押下操作により音源の種別としてＡＵＸが選択された場合には、押下操作に連動して音源の種別としてＡＵＸが選択された旨の音源選択信号が、システム制御部３に入力される。
【００３９】
なお、音源選択信号は、必ずしも音源選択ボタンの押下操作に基づいて求められるものには限定されず、他の方法、例えば、トラックの切替信号の検出により音源としてＣＤが選択された旨を判断したり、放送チャンネルの切替信号によりＤＴＶやラジオが音源として選択された旨を判断したり、外部機器との接続信号などに基づいて音源としてＡＵＸ（外部入力端子）が選択された旨を判断したりする構成とすることも可能である。
【００４０】
システム制御部３は、音源選択信号を受信することにより、聴取者により音源の変更（選択）が行われたことを判断することができる。音源選択信号によって、システム制御部３で音源の変更が行われたことを検出した場合、システム制御部３は音源選択部４、ダイナミックレンジ制御部５、リミッタ部６および出力制御部７に対応する制御信号を生成し、それぞれの機能部４〜７に対して出力する。
【００４１】
具体的にシステム制御部３は、図１に示すように、音源の変更がなされたと判断した場合に、音源選択部４に対して遅延選択信号を出力し、ダイナミックレンジ制御部５に対して固定制御信号と入力オフセット信号とを出力し、リミッタ部６に対してリミッタオフセット信号を出力し、出力制御部７にミュート信号を出力する。
【００４２】
図２は、音源選択信号に基づいて音源が変更されたと判断されるタイミングと、遅延選択信号により音源が変更されたと判断され得る音源の変更のタイミングと、遅延選択信号による音源の変更のタイミングに対応してオン／オフ設定（Ｈｉｇｈ／Ｌｏｗ設定）が行われる固定制御信号の状態とを時系列的に対比して示した一例の図である。
【００４３】
遅延選択信号は、音源選択信号に対して所定時間Ｔ１だけ音源の変更のタイミングに遅延を掛けた信号である。図２において、タイミングＡは、音源選択信号による音源の変更のタイミングを示し、タイミングＢは、遅延選択信号による音源の変更のタイミングを示している。
【００４４】
また、固定制御信号は、ダイナミックレンジ制御部５において制御方式を変更するか否かの判断に用いられる信号であり、タイミングＢに基づいて所定時間Ｔ２（第２所定時間）の間だけ、信号の出力レベルがＨｉｇｈ（高レベル、オン状態）に設定され、その後は、信号の出力レベルがＬｏｗ（低レベル、オフ状態）に設定される。このため、信号の出力レベルがＨｉｇｈに設定される所定時間Ｔ２は、固定された時間（固定制御区間）となるが、信号の出力レベルがＬｏｗに設定される時間は、時間が一定に定められていない時間（可変制御区間）となる。
【００４５】
入力オフセット信号は、音源選択信号に基づいて決定される信号であり、この入力オフセット信号に基づいて入力信号の出力レベルに関するオフセット調整（オフセット処理）が行われる。本実施の形態においては、後に説明するように，音源がＣＤである場合には、入力オフセット信号に基づいて、出力レベルが−１４ｄＢだけオフセット調整され、音源がＤＴＶである場合には、出力レベルが−１１ｄＢだけオフセット調整され、音源がラジオである場合には、出力レベルが−８ｄＢだけオフセット調整され、音源がＡＵＸである場合には、出力レベルの調整は行われない。
【００４６】
リミッタオフセット信号は、リミッタ部６の制御信号に対してレベルオフセットを掛ける役割を有するものである。リミッタオフセット信号は、図３（ａ）に示すように、図２に示したタイミングＢを基準として、リミッタオフセット信号の信号レベルを、定常状態（つまり、音源選択信号による音源の切り替えがなされたタイミング以外の状態）を示すＬ２から、音源を切り替えた直後における状態Ｌ１（但し、Ｌ１＜Ｌ２）へと瞬時にオフセット（低減）させ、その後、タイミングＢから所定時間Ｔ３（第１所定時間）の時間を掛けて、Ｌ１へオフセットされた信号レベルをＬ２へと徐々に戻す（増加させる）特性を有している。
【００４７】
ミュート信号は、出力制御部７において、タイミングＡから所定時間Ｔ４（但し、Ｔ４＞Ｔ２とする）の時間を掛けて、信号レベルの減衰および増加を行う役割を有している。具体的には、図３（ｂ）に示すように、タイミングＡにおいて緩やかに（聴覚上違和感のない様に）信号レベルの低減を開始して、タイミングＢにおいて信号レベルを０まで低減させる。そして、タイミングＢ以降において、今度は信号レベルを緩やかに（聴覚状違和感のない様に）信号レベルの増加を行う。このような信号レベルの緩やかな低減・増加処理により、音源の切替時における入力信号のフェードアウト動作およびフェードイン動作を行うことが可能となる。
【００４８】
［音源選択部］
次に、音源選択部４について説明を行う。図４は、音源選択部４の概略構成を示したブロック図である。音源選択部４は、第１固定ゲイン補正部１１と、第２固定ゲイン補正部１２と、第３固定ゲイン補正部１３と、第４固定ゲイン補正部１４と、選択部１５と、ＤＣカット部１６とを有している。
【００４９】
第１固定ゲイン補正部１１は、ＣＤを音源として入力される入力信号に対して固定ゲインの補正を行う役割を有しており、第２固定ゲイン補正部１２は、ＤＴＶを音源として入力される入力信号に対して固定ゲインの補正を行う役割を有しており、第３固定ゲイン補正部１３は、ラジオを音源として入力される入力信号に対して固定ゲインの補正を行う役割を有しており、第４固定ゲイン補正部１４は、ＡＵＸを音源として入力される入力信号に対して固定ゲインの補正を行う役割を有している。
【００５０】
選択部１５は、システム制御部３より入力される遅延選択信号に基づいて、各音源より入力される入力信号の切替処理を行う役割を有している。この選択部１５による入力信号の切替処理により、聴取者が選択した音源に該当する入力信号に対して最適な音量制御を行うことが可能となる。
【００５１】
ＤＣカット部１６は、２次のＩＩＲ（Infinite Impulse Response）フィルタにより構成されており、このＩＩＲフィルタを入力信号に適用することにより、入力信号における音源のＤＣ成分をカットすることが可能になっている。ＤＣカット部１６において、所定帯域以下のＤＣ成分（例えば、２０Ｈｚ以下のＤＣ成分）をカットすることにより、ダイナミックレンジ部５において入力信号における信号レベルの検出を行う場合などにおいて、音楽信号に関係のない信号レベル成分を予めカットすることができるので、制御精度の向上を図ることが可能となる。
【００５２】
［ダイナミックレンジ制御部］
次に、ダイナミックレンジ制御部５について説明する。図５は、ダイナミックレンジ制御部５の概略構成を示したブロック図である。ダイナミックレンジ制御部５は、入力信号の信号レベルの変化状態に対応させて、入力信号の音量の変動を低減させる役割を有している。ダイナミックレンジ制御部５は、第１乗算部（オフセット処理手段）２１および第２乗算部（第１変動量補正手段）２５と、第１レベル検出部（第１変動量補正手段）２２と、アタックリリース時間制御部（第１変動量補正手段）２３と、および第１レベル制御部（第１変動量補正手段）２４とを有している。
【００５３】
第１乗算部２１は、システム制御部３より入力される入力オフセット信号に基づいて、音源選択部４を介して入力された入力信号に対して、信号レベルのオフセット調整を行う役割を有している。このオフセット調整は、上述したように、音源の種別によってオフセット量が異なっている。本実施の形態では、図１１の表に示すように、音源がＣＤである場合には、出力レベルが−１４ｄＢだけオフセット調整され、音源がＤＴＶである場合には、出力レベルが−１１ｄＢだけオフセット調整され、音源がラジオである場合には、出力レベルが−９ｄＢだけオフセット調整され、音源がＡＵＸである場合には、出力レベルの調整が行われない。
【００５４】
第２乗算部２５は、次述する第１レベル制御部２４により出力されるダイナミックレンジ制御信号に基づいて、第１乗算部２１によりオフセット調整が行われた入力信号に対して、信号レベルの制御を行う役割を有している。
【００５５】
第１レベル検出部２２は、入力信号の信号レベルにおける短時間毎の最大値変化を検出した後に、その最大値変化に基づいて入力信号の実効値を求める役割を有している。図６は、第１レベル検出部２２の概略構成を示したブロック図である。第１レベル検出部２２は、第１最大値検出部２７と、実効値検出部２８と、第１ゲインオフセット部２９とを有している。
【００５６】
第１最大値検出部２７は、入力信号の絶対値を算出した後に、所定時間間隔毎に最大値の検出を行う。実効値検出部２８は、所定時間区間毎の実効値を、所定時間区間をオーバーラップさせながら１サンプル毎に求める。第１ゲインオフセット部２９は、１サンプル毎に求められた実効値のレベルオフセット処理を行うことにより、レベル検出信号として出力する。
【００５７】
図７は、入力信号が音楽の場合において、第１最大値検出部２７で検出される最大値検出信号と、実効値検出部２８および第１ゲインオフセット部２９を介して検出されるレベル検出信号との信号波形を示した図である。
【００５８】
この図において、第１最大値検出部２７における検出区間は５．８ｍｓｅｃであり、実効値検出部２８における検出区間は１８６ｍｓｅｃであり、さらにゲインオフセット部２９のレベルオフセットの値Ｇａとして、３ｄＢの設定が行われている。なお、５．８ｍｓｅｃは、サンプリング周波数４４．１ｋＨｚにおいて２５６ｓａｍｐｌｅに相当し、サンプリング周波数は１７２Ｈｚに変換される。また、１８６ｍｓｅｃは、サンプリング周波数１７２Ｈｚにおいて３２ｓａｍｐｌｅに相当する。図７においては、実効値検出信号が、３２ｓａｍｐｌｅ分オーバーラップされたものであるため、最大値検出信号に対して応答の遅れが発生してしまうが、一方で、なめらかな変動を備えることができるという特徴を有している。
【００５９】
このように、なめらかな変動特性を備えた実効値検出信号に基づいてレベル検出信号を求めることにより、次述する第１レベル制御部２４における音量制御処理（音量変動の抑制処理）において、聴感上違和感のない処理結果を得ることが可能となる。
【００６０】
アタックリリース時間制御部２３は、レベル検出信号における音量の変化状態（音量の上昇および低下）に基づいて、アタック時間判定値（補正時間に関する情報）およびリリース時間判定値（補正時間に関する情報）を求める役割を有している。
【００６１】
図８は、アタックリリース時間制御部２３の概略構成を示したブロック図である。アタックリリース時間制御部２３は、第２レベル制限部３１と、デシベル変換部３２と、ＨＰＦ部３３と、第２ゲインオフセット部３４と、アタック最大値ホールド部３５と、リリース最大値ホールド部３６とを有している。
【００６２】
第２レベル制限部３１は、レベル検出信号における信号レベルの制限を行う。デシベル変換部３２では、第２レベル制限部３１により信号レベルの制限が行われた信号をリニア信号からデシベルに変換する。ＨＰＦ部３３は、１次のＩＩＲ型の高域通過フィルタであり、デシベルに変換された信号を微分することによって信号の変化量検出を行う。
【００６３】
第２ゲインオフセット部３４は、アタック最大値ホールド部３５およびリリース最大値ホールド部３６において時間判定を行うための所定のゲインオフセット量を求めてゲインの低減処理を行う。そして、アタック最大値ホールド部３５は、入力される信号のうち正側へ増加する信号、すなわちアタック信号を所定時間ホールドすることによりアタック時間判定値を求め、求められたアタック時間判定値を第１レベル制御部２４に出力する。また、リリース最大値ホールド部３６は、入力される信号のうち負側へ増加する（つまり低減する）信号、すなわちリリース信号を所定時間ホールドすることによりリリース時間判定値を求め、求められたリリース時間判定値を第１レベル制御部２４に出力する。
【００６４】
このように、アタックリリース時間制御部２３では、信号レベルの変化に応じた時間判定値（アタック時間判定値およびリリース時間判定値）を求めることができるため、信号レベルが急激に大きくなったときには、大きなアタック時間判定値が第１レベル制御部２４に出力され、信号レベルが急激に小さくなったときには、大きなリリース時間判定値が第１レベル制御部２４に出力されることになる。
【００６５】
第１レベル制御部２４は、アタックリリース時間制御部２３において求められたアタック時間判定値およびリリース時間判定値などを利用することにより、入力信号の音量変動を抑制（低減）させるためのダイナミックレンジ制御信号を生成する役割を有している。
【００６６】
図９は、第１レベル制御部２４の概略構成を示したブロック図である。第１レベル制御部２４は、図９に示すように、第１レベル制限部４１と、第１アタックリリースフィルタ部４２と、アタックリリース係数テーブル部４３と、第１ルックアップテーブル部４４とを有している。
【００６７】
第１レベル制限部４１は、第１レベル検出部２２より入力されるレベル検出信号の信号レベルを制限する。
【００６８】
アタックリリース係数テーブル部４３は、図１０（ａ）に示す対応関係のような、アタック時間判定値の値に基づいて決定されるアタック時間（補正時間）が示されたアタック時間変換テーブルと、図１０（ｂ）に示す対応関係のような、リリース時間判定値の値に基づいて決定されるリリース時間（補正時間）が示されたリリース時間変換テーブルとを備えている。アタックリリース係数テーブル部４３は、アタックリリース時間制御部２３より入力されるアタック時間判定値を用い、アタック時間変換テーブルに基づいてアタック時間を決定し、また、アタックリリース時間制御部２３より入力されるリリース時間判定値を用い、リリース時間変換テーブルに基づいてリリース時間を決定する。
【００６９】
アタック時間変換テーブルは、図１０（ａ）に示すように、アタック時間判定値が大きい値であればあるほど、アタック時間が小さくなるように設定されているため、音源より入力される入力信号の音量変化量が大きくなると、音量制御の応答速度が速くなり、音源より入力される入力信号の音量変化量が小さくなると、音量制御の応答速度が遅くなる。これより、音源からの入力信号における信号レベルの変動状態に応じて制御速度が変化し、急激な音量変化や緩やかな音量変化においても聴感上で違和感のない最適な制御を行うことが可能となる。この特徴は、図１０（ｂ）に示すリリース時間変換テーブルに関しても同様であり、入力信号における信号レベルの変動状態に応じて制御速度が変化し、急激な音量変化や緩やかな音量変化においても聴感上で違和感のない最適な制御を行うことが可能となる。
【００７０】
なお、図１０（ａ）に示すアタック時間変換テーブルおよび図１０（ｂ）に示すリリース時間変換テーブルにおいては、それぞれタイプＡ〜タイプＣで示された３種類の時間変換テーブルが示されている。タイプＡは全体的に制御速度を遅くしたものであり、タイプＣは制御速度を速くしたものであり、タイプＢはタイプＡとタイプＣとの中間の制御速度にしたものである。このような複数種類の時間変換テーブルを用いることにより、聴取者が嗜好に応じて時間変換テーブルを選択する構成にしたり、圧縮された音楽ファイルのヘッダーファイル情報等を読み取り、ヘッダーファイル情報から音楽ファイルのジャンル情報に応じて時間変換テーブルを変更（選択）する構成としたりすることが可能となる。
【００７１】
例えば、音源のジャンルがロックのような変動が激しい楽曲である場合には、制御速度が速い時間変換テーブルを選択して応答を良くすることでロックのリズム・テンポを損なうことがなくなり、クラシックのようにダイナミックレンジが広く、比較的緩やか変動を行う楽曲である場合には、制御速度が遅い時間変換テーブルを選択して急激な音の押さえ込みを低減することによりクラッシックらしい楽曲の特徴を生かして音量制御を行うことが可能となる。
【００７２】
なお、アタックリリース係数テーブル部４３には、アタックリリース時間制御部２３よりアタック時間判定値およびリリース時間判定値が入力されるだけでなく、システム制御部３より固定制御信号も入力される。アタックリリース係数テーブル部４３は、固定制御信号の出力レベルがＬｏｗ（低レベル）である場合にのみ、アタックリリース時間制御部２３より入力されたアタック時間判定値およびリリース時間判定値に基づいて、第１アタックリリースフィルタ部４２へ出力するアタック時間とリリース時間との決定を行う。一方で、アタックリリース係数テーブル部４３は、固定制御信号の出力レベルがＨｉｇｈ（高レベル）である場合、アタックリリース時間制御部２３より入力されたアタック時間判定値の値およびリリース時間判定値の値に拘わらず、予め設定された所定のアタック時間とリリース時間とを採用し、第１アタックリリースフィルタ部４２に出力する。
【００７３】
ここで、固定制御信号の出力レベルがＨｉｇｈ（高レベル）になるタイミングとは、既に説明したように、遅延選択信号により音源の変更が行われたと判断され得るタイミング（図２におけるタイミングＢ）に該当するものであり、このような音源の変更時には、大きな音量の変化が瞬時に生じる場合が想定され得る。このため、アタックリリース時間制御部２３により求められたアタック時間判定値やリリース時間判定値において、音源の変更に伴い音量変化が急速かつ大きく（著しく）発生した場合には、その音量変化に対応するアタック時間およびリリース時間を、アタック時間判定値およびリリース時間判定値から最適に求めることが困難となる。従って、音源が変更されたと判断され得るタイミングから、所定時間Ｔ２の時間が経過するまでの間において、大きな音量変動に対する信号レベルの迅速な平滑化処理（音量変動の抑制処理）を実現するために、通常のアタック時間およびリリース時間よりも短い時間を設定することにより、通常状態よりも迅速かつ効果的に音量変動の平滑化（抑制・低減）を実現することが可能となる。
【００７４】
第１アタックリリースフィルタ部４２は、アタックリリース係数テーブル部４３より取得したアタック時間とリリース時間とに応じた応答速度になるように、第１レベル制限部４１において信号レベルが制限された入力信号（音響信号）にフィルタリング処理を行い、信号を平滑化する処理（音量変動の抑制処理）を行う。
【００７５】
第１ルックアップテーブル部４４は、第１アタックリリースフィルタ部４２におけるフィルタリング処理により平滑化されたアタックリリース出力信号の信号レベル変換を行う。信号レベルの変換処理は、音源毎に異なった変換特性に基づいて行われる。変換特性の詳細な説明は、後に図１２および図１３を示して説明する。
【００７６】
さらに、第１ルックアップテーブル部４４は、アタックリリース出力信号のサンプリングレートの変換処理を行うことにより、音源より入力された入力信号と同じサンプリングレートになるように制御タイミングの調整を行い、ダイナミックレンジ制御信号として、第２乗算部２５へと出力される。
【００７７】
図１１は、ダイナミックレンジ制御部５において入力信号の音量制御を行う場合における、音源毎の制御範囲（ｄＢ）と、最大制御量と、入力オフセットの情報とを、音源毎に対比して示した表である。本実施の形態に係る音量制御装置１では、補正ターゲットとなる入力信号の音量レベルを−２０ｄＢとし、信号レベルが０ｄＢの場合に入力信号の最大スケール（最大レベル）が設定されることになる。
【００７８】
入力オフセット信号については、既に説明したように音源の種別に応じてシステム制御部３で設定されて、ダイナミックレンジ制御部５の第１乗算部２１において、音源毎に該当する信号レベルだけオフセット調整が行われる。このオフセット調整により、図１１に示すように音源毎に音量の制御可能範囲が決定されることになる。
【００７９】
具体的に、音源がＣＤの場合には、制御範囲が０ｄＢ〜−６ｄＢとなって、最大制御量が６ｄＢと一番小さくなり、音源がＤＴＶの場合には、制御範囲が０ｄＢ〜−９ｄＢとなって、最大制御量が９ｄＢと２番目に小さくなり、音源がラジオの場合には、制御範囲が０ｄＢ〜−１２ｄＢとなって、最大制御量が１２ｄＢとなり、音源がＡＵＸの場合には、制御範囲が０ｄＢ〜−２０ｄＢとなって、最大制御量が２０ｄＢと一番大きくなる。
【００８０】
このように制御範囲および制御量を音源毎に変動させる理由として、ＣＤの場合には、ＣＤに収録される音楽以外の要素が含まれるおそれが少ないため、比較的音量変動が少ないと判断されるためである。一方で、ＤＴＶやラジオの場合には、音楽だけでなく宣伝広告や会話音などの様々な要素が含まれるおそれがあるため、ＣＤよりも音量変動が顕著に生ずると判断される。このため、ＤＴＶやラジオの場合には、ＣＤに比べて制御範囲を広くし、最大制御量に余裕を与えている。なお、ラジオは、ＤＴＶに比べて電波の受信感度などにより音量が大きく変動する可能性があるため、ＤＴＶよりもラジオの方が、広い制御範囲が設定されており、最大制御量に対しても余裕が与えられている。
【００８１】
最後に、ＡＵＸの場合には、ＡＵＸに接続される携帯オーディオ装置において独立した音量変更（調節）機能が設けられていることが通常であるため、他の音源より入力される入力信号よりも音量が大きすぎたり小さすぎたりすることが多い。このため、本実施の形態に係る音量制御装置１では、ＡＵＸに接続される音源より入力される入力信号を補正ターゲットとして設定し、この補正ターゲットを基準として他の音源の入力信号における制御範囲および最大制御量の決定が行われる。
【００８２】
なお、補正ターゲットの音量レベルは、最大制御量に基づいて決定されるため、例えば、最大制御量が２０ｄＢであれば、補正ターゲットの音量レベルは−２０ｄＢとなり、最大制御量が３０ｄＢであれば、補正ターゲットの音量レベルは−３０ｄＢに設定される。このようにして音源毎に制御量を設定することにより、音源のダイナミックレンジに応じて最適な制御を行うことが可能となる。
【００８３】
図１２（ａ）（ｂ）および図１３（ａ）（ｂ）は、第１ルックアップテーブル部４４における音源毎のレベル変換特性を示した図であり、より詳細には、図１２（ａ）は音源がＣＤの場合におけるレベル変換特性を示し、図１２（ｂ）は音源がＤＴＶの場合におけるレベル変換特性を示し、図１３（ａ）は音源がラジオの場合におけるレベル変換特性を示し、図１３（ｂ）は音源がＡＵＸの場合におけるレベル変換特性を示している。
【００８４】
各音源の入力信号の信号レベルは、図１１に示した図を用いて説明したように、入力オフセット信号により音源毎に信号レベルのオフセット調整が行われるため、音源毎の音量の制御範囲がそれぞれ制限されることになる。従って、図１２（ａ）（ｂ）および図１３（ａ）（ｂ）に示されるレベル変換特性のグラフにおいても、図１１に示した入力オフセットの値に対応する値だけ出力レベルがオフセット調整されている。
【００８５】
図１２（ａ）（ｂ）および図１３（ａ）（ｂ）に示すレベル変換特性のグラフでは、−２０ｄＢよりも大きな入力信号（アタックリリース出力信号）に対して、出力信号（ルックアップ出力信号、ダイナミックレンジ制御信号）が−２０ｄＢに抑えられるように設定が行われてからレベル変換処理が行われる。
【００８６】
図１４は、入力信号が音楽信号である場合におけるレベル検出信号（第１レベル検出部２２の実効値検出部２８により求められた実効値に対して第１ゲインオフセット部２９によりレベルオフセットが行われた後の実効値検出信号）と、このレベル検出信号に対して第１レベル制御部２４の第１アタックリリースフィルタ部４２におけるフィルタリング処理により平滑化されたアタックリリース出力信号と、第１ルックアップテーブル部４４により信号レベル変換が行われたルックアップ出力信号（ダイナミックレンジ制御信号に該当する信号）との波形状態を示した図である。
【００８７】
なお、図１４に示す波形状態は、アタックリリース時間制御部２３における第２レベル制限部３１の信号レベル範囲が−３０ｄＢ〜０ｄＢに設定され、ＨＰＦ部３３の正規化カットオフ周波数が０．０２に設定され、第２ゲインオフセット部３４のゲインオフセットの値Ｇｂが−６ｄＢに設定されたものである。また、アタック最大値ホールド部３５およびリリース最大値ホールド部３６のアタック最大値ホールド時間とリリース最大値ホールド時間とは４６．４ｍｓｅｃとされ、これはサンプリング周波数１７２Ｈｚにおいて８ｓａｍｐｌｅに該当するものとなる。さらに、第１レベル制御部２４における第１レベル制限部４１の信号レベル範囲は−２０ｄＢ〜０ｄＢ、アタックリリース係数テーブル部４３におけるアタック時間とリリース時間は、図１０（ａ）（ｂ）に示したタイプＢに該当するアタック時間変換テーブルを用いて求められ、固定制御信号はＬｏｗレベルを維持した状態を示している。
【００８８】
図１４に示されるルックアップ出力信号（ダイナミックレンジ制御信号）は、第１ルックアップテーブル部４４において補正ターゲットの信号レベル（音量）との差分を求めることにより生成される。なお、ルックアップ出力信号（ダイナミックレンジ制御信号）は、アタック時間判定値やリリース時間判定値が小さい場合に、アタック時間やリリース時間が長くなり、後述のリミッタ制御信号に比べて非常に緩やかな制御信号となる。このため、音の変動感は聴感上ほとんど発生しない。
【００８９】
［リミッタ部］
次に、本実施の形態に係るリミッタ部６について説明する。図１５は、リミッタ部６の概略構成を示したブロック図である。リミッタ部６は、ダイナミックレンジ制御部５において制御しきれなかった音量変動の抑制処理を行う役割を有している。
【００９０】
リミッタ部６は、図１５に示すように、第２レベル検出部５１と、第２レベル制御部５２と、第３乗算部５５とを有している。
【００９１】
第２レベル検出部５１は、第２最大値検出部５３と、最大値ホールド部５４とを有している。第２最大値検出部５３は、ダイナミックレンジ制御部５より入力された入力信号を絶対値化した後、所定時間区間毎の最大値の検出を行う。また、最大値ホールド部５４は、第２最大値検出部５３により検出された最大値検出信号を所定時間ホールドすることにより、リミッタレベル検出信号を求めて、第２レベル制御部５２へ出力する。
【００９２】
第２レベル制御部５２は、第３レベル制限部５６と、第２アタックリリースフィルタ部５７と、第２ルックアップテーブル部５８とを有している。
【００９３】
第３レベル制限部５６は、第２レベル検出部５１より入力されるリミッタレベル検出信号の信号レベルの制限を行う。第２アタックリリースフィルタ部５７は、第３レベル制限部５６により信号レベル制限が行われた信号に対して、予め設定されたアタック時間とリリース時間に応じた応答速度のフィルタリング処理を行い、信号を平滑化する。
【００９４】
なお、第２レベル検出部５１や第２レベル制御部５２では、ダイナミックレンジ制御部５において制御しきれなかった音量変動の抑制処理を行うために、第２最大値検出部５３の最大値検出区間や、第２アタックリリースフィルタ部５７のアタック時間およびリリース時間を、ダイナミックレンジ制御部５において設定した値よりも小さい値（低い値）に設定することにより迅速な制御速度を確保して応答性を高めている。
【００９５】
第２ルックアップテーブル部５８は、テーブルデータに基づいて、第２アタックリリースフィルタ部５７におけるフィルタリング処理により平滑化された制御信号（第２アタックリリースフィルタ部５７からの入力信号）の信号レベル変換を行う役割を有し、入力された制御信号に対して所定の出力値となるように信号レベルを変換する。また、第２ルックアップテーブル部５８は、制御信号のサンプリングレートを変換し，音量制御の対象とする音楽信号と同じサンプリングになるように制御タイミングの調整を行う。
【００９６】
図１６は、第２ルックアップテーブル部５８におけるレベル変換特性を示している。図１６に示すように、本実施の形態に係る第２ルックアップテーブル部５８のレベル変換特性では、基準となる補正ターゲットの音量レベルを、ダイナミックレンジ制御部５において説明した補正ターゲットの音量レベルと同様に−２０ｄＢに設定している。
【００９７】
また、第２ルックアップテーブル部５８には、システム制御部３からリミッタオフセット信号を受信可能な構成となっており、リミッタオフセット信号に基づいて補正ターゲットの信号レベル（音量）を変化させることが可能となっている。具体的には、リミッタオフセットの値は、図３（ａ）に示すように、タイミングＢにおいて通常状態Ｌ２からＬ１へと急激に低減され、その後に所定時間Ｔ３が経過するまでの間、その時間経過に対応させてＬ２まで増加（変動）されることになる。このようにリミッタオフセットの値が時間経過に応じて変動するため、図１６に示す第２ルックアップテーブル部５８のレベル変換特性においても、リミッタオフセットの値が時間経過に応じて変動されることになる。
例えば、リミッタオフセット信号のリミッタオフセット値Ｌ１が１ｄＢの場合には、補正ターゲットの音量レベルが−１９ｄＢとなり、リミッタオフセット信号のリミッタオフセット値Ｌ２が１２ｄＢの場合には、補正ターゲットの音量レベルが−８ｄＢとなる。
【００９８】
このように、音源の切り替えに応じてリミッタオフセット値が変化するリミッタオフセット信号の受信に基づいて、補正ターゲットの音量レベルを設定することにより、音源を切り替えたときの異音の発生を低減させることができ、また、音源を切り替えたとき以外は、音量制御による入力信号（音楽信号）のダイナミックレンジの低下を低減することが可能となる。
【００９９】
第２ルックアップテーブル部５８において、信号レベル変換が行われたリミッタ制御信号は、第３乗算部５５においてリミッタ部６に入力された入力信号に対してリミッタ制御信号を適用することにより、音源が変更された場合や同じ音源内で音量が急激に増減した場合において、ダイナミックレンジ制御部５で迅速かつ十分に音量変動の抑制処理を行うことができない場合であっても、リミッタ部６で効果的に音量変動の抑制を図ることが可能となる。
【０１００】
［出力制御部］
次に出力制御部７について説明する。図１７は、出力制御部７の概略構成を示したブロック図である。出力制御部７は、図１７に示すように、第４乗算部６１と、第３ゲインオフセット部６２と、第５乗算部６３とを有している。出力制御部７の第５乗算部６３には、オーディオ装置の操作パネルなどに設けられる音量調整スイッチを聴取者などが操作することにより変更されるボリューム信号が入力可能となっている。
【０１０１】
第４乗算部６１は、システム制御部３より入力されるミュート信号に基づいて、ダイナミックレンジ制御部５およびリミッタ部６において音量制御が行われた入力信号のフェードアウト処理とフェードイン処理とを行う。なお、ミュート信号は、図３（ｂ）に示したように、音源が変更されたタイミングであるタイミングＡにおいてフェードアウト処理が開始され、タイミングＢにおいてフェードイン処理が開始されるため、ミュート信号によるフェードアウト処理およびフェードイン処理により、ダイナミックレンジ制御部５およびリミッタ部６において十分に音量制御を行うことができなかった場合であっても、このフェードアウト／フェードイン処理により、音源変更時の急激な音量の変化が出力信号としてスピーカなどから出力されてしまうことを防止することができる。
【０１０２】
第３ゲインオフセット部６２は、最終的に出力する出力信号の信号レベルの調節を行う役割を有している。例えば、ダイナミックレンジ制御部５およびリミッタ部６における補正ターゲットの音量レベルが−２０ｄＢであり、出力される信号レベルが−１０ｄＢに設定される場合には、第３ゲインオフセット部６２におけるゲインオフセットの値Ｇｃとして１０ｄＢが設定されることになる。
【０１０３】
第５乗算部６３は、入力されたボリューム信号に基づいて最終的な出力信号の音量を調整するものであり、第５乗算部６３において聴取者の設定に応じた音量の増減が行われる。
【０１０４】
上述した音量制御装置１を用いて音量制御を行った場合における音量制御の効果を、各処理部における音楽信号の波形状態を示して説明する。
【０１０５】
まず、図１８〜図２１における（ａ）は、音源選択信号により選択された音源選択情報の時間経過を示した図であり、図１８〜図２１の（ａ）に示される図では、音源選択情報により音源がＣＤ−ＡＵＸ−ＤＴＶ−ラジオ−ＣＤの順番で変更された経緯が示されている。
【０１０６】
次に、図１８〜図２１の（ｂ）に示される図は、音源選択部４より出力される信号の振幅を示しており、（ｃ）に示される図は、ダイナミックレンジ制御部５より出力される信号の振幅を示しており、（ｄ）に示される図は、出力制御部７より出力される信号の振幅を示している。
【０１０７】
なお図１８および図２０に示す図では、（ａ）に示すように音源が変更されているにも拘わらず、（ｂ）に示すように信号の振幅にレベル差がない状態が示されており、図１９および図２１に示す図では、（ａ）（ｂ）に示すように、音源の変更に応じて信号の振幅にレベル差が生じる場合が示されている。
【０１０８】
また、本実施の形態に係る音量制御装置１において、音源間でレベル差がない信号は、音源より出力された信号に対して−６ｄＢに設定され、音源間でレベル差がある信号は、ＣＤの場合で−６ｄＢ、ＤＴＶで−９ｄＢ、ラジオで−１２ｄＢ、ＡＵＸで−２０ｄＢに設定され、さらに、第３ゲインオフセット部６２におけるゲインオフセット値は６ｄＢに設定される。さらに、各音源より出力される信号は、全て１ｋＨｚの正弦波に設定されている。
【０１０９】
また、音源の切り替え制御において、システム制御部３における遅延時間Ｔ１は０．２ｓｅｃ、固定制御区間Ｔ２は０．３ｓｅｃ、リミッタオフセット区間Ｔ３は６．０ｓｅｃ、フェードアウトおよびフェードイン区間Ｔ４は０．４ｓｅｃに設定されている。
【０１１０】
さらに、固定制御信号がＨｉｇｈの場合（固定制御区間）におけるアタックリリース係数テーブル部４３のアタック時間とリリース時間は、それぞれ５０ｍｓｅｃに設定され、リミッタ部６の第２最大値検出部５３の最大値検出区間は１．５ｍｓｅｃ、最大値ホールド部５４の最大値ホールド区間は１５ｍｓｅｃ、第３レベル制限部５６の信号レベル範囲は−２０ｄＢ〜０ｄＢ、第２アタックリリースフィルタ部５７のアタック時間とリリース時間は、それぞれ１０ｍｓｅｃに設定される。
【０１１１】
なお、最大値検出区間の１．５ｍｓｅｃは、サンプリング周波数４４．１ｋＨｚにおいて６４ｓａｍｐｌｅに相当する。また、音源の切り替え制御を行わない場合のリミッタオフセットＬ２は３ｄＢ、音源の切り替え制御を行う場合のリミッタオフセットＬ１は１ｄＢ、Ｌ２は１２ｄＢに設定され、その他のパラメータは既に説明した値と同じ値に設定されている。
【０１１２】
上述した設定条件において、図１８（ｄ）は、音源の変更が行われているにも拘わらず、ダイナミックレンジ制御部５において固定制御信号を受信しても対応する処理（アタック時間およびリリース時間として予め設定された値を使用する処理）を行わず、リミッタ部６においてはリミッタオフセット信号を受信しても対応する処理（第２ルックアップテーブル部５８におけるレベル変換特性のリミッタオフセットの値を可変にする処理）を行わず、さらに、出力制御部７においてはミュート信号を受信してもミュート処理を行わない場合において、出力制御部７より出力される出力信号の信号波形を示した図である。なお、図１８に示す場合においては、上述したように各音源より出力される信号が全て同一レベルに設定されている。
【０１１３】
一方で、図１９（ｄ）は、図１８（ｄ）に示す図と同様に、音源の変更が行われているにも拘わらず、ダイナミックレンジ制御部５、リミッタ部６および出力制御部７において上述した処理を行わない場合において、出力制御部７より出力される出力信号の信号波形を示した図であるが、図１９に示す図では、各音源より出力される信号にレベル差が存在する場合を示している。
【０１１４】
また、図２０（ｄ）は、図１８および図１９に示す場合と異なり、音源の変更が行われた場合において、固定制御信号を受信した場合にダイナミックレンジ制御部５が対応する処理を行い、リミッタオフセット信号を受信した場合にリミッタ部６が対応する処理を行い、さらに、ミュート信号を受信した場合に出力制御部７がミュート処理を行う場合において、出力制御部７より出力される出力信号の信号波形を示した図であって、各音源より出力される信号が全て同一レベルに設定されている場合を示している。
【０１１５】
さらに、図２１（ｄ）は、図２０（ｄ）と同様に、音源の変更が行われた場合において、固定制御信号を受信した場合にダイナミックレンジ制御部５が対応する処理を行い、リミッタオフセット信号を受信した場合にリミッタ部６が対応する処理を行い、さらに、ミュート信号を受信した場合に出力制御部７がミュート処理を行う場合において、出力制御部７より出力される出力信号の信号波形を示した図であって、各音源より出力される信号にレベル差が存在する場合を示している。
【０１１６】
図１８〜図２１に示される（ａ）〜（ｄ）の図を比較すると、図１８では、ダイナミックレンジ制御部５の第１乗算部２１において、入力オフセット信号に基づき音源毎に入力信号のオフセット処理が行われるため、（ｂ）に示すように音源選択部４より出力される信号が全て同一レベルに設定されている場合であっても、（ｃ）に示すようにダイナミックレンジ制御部５より出力される信号の振幅が、音源毎に変動された状態となる。
【０１１７】
また、図１８に示す条件において、音量制御装置１のリミッタ部６では、リミッタオフセット信号の受信に応じて音源変更後に音量変動の抑制処理が行われるため、（ｃ）示すように時間１（音源がＣＤからＡＵＸに変更されたタイミング）において十分に低減することができなかった振幅を、（ｄ）に示すように、瞬時に抑圧することが可能となっている。しかしながら、図１８の（ｄ）に示すように、出力制御部７より出力される信号の振幅は、音源の種別に応じて異なった状態となっており、音源毎に生ずる音量の違いを十分に抑制することができていない。
【０１１８】
一方で、図１９では、ダイナミックレンジ制御部５の第１乗算部２１において、入力オフセット信号に基づき音源毎に入力信号のオフセット処理が行われるため、（ｂ）に示すように音源選択部４より出力される信号にレベル差が生じて音源毎に振幅が異なる場合であっても、（ｃ）に示すように、ダイナミックレンジ制御部５より出力される信号の振幅の調整が行われている。本実施の形態に示す例では、音源毎の音量差と、ダイナミックレンジ制御部５によりオフセット処理される音量が等しいため、音量差が相殺された状態が示されている。
【０１１９】
また図１９に示す場合には、音源毎の音量差とオフセット処理のオフセット量とが等しいため、（ｄ）に示すように、出力制御部７より出力される信号の振幅が音源に拘わらずほぼ等しい振幅となっているが、音源毎の音量差が、オフセット処理のオフセット量と相違する場合には、音量差をオフセット量で相殺することができないため、図１８の（ｄ）に示す場合と同様に、音源毎に生ずる音量の違いを十分に抑制することができない場合が生じ得る。
【０１２０】
しかしながら、図２０および図２１で示す（ｃ）および（ｄ）では、図２０（ｂ）に示すように、各音源から出力される信号が全て同一レベルに設定されている場合であっても、図２１（ｂ）に示すように、各音源から出力される信号にレベル差が生じている場合であっても、ダイナミックレンジ制御部５における音量変動の抑制処理により、ダイナミックレンジ制御部５より出力される信号の振幅が、音源の違いに拘わらず、さらに各音源から出力される信号の振幅状態に拘わらず、一定幅に調整され、各音源からの音量が一定の基準状態（共通したレベル）に収束された状態を維持するようになる。このように、本実施の形態に係る音量制御装置１では、音源選択信号を用いて音源の種別を判断して音量変動の抑制処理を行うことにより、音源毎に最適な音量制御を行うことが可能となる。
【０１２１】
次に、図２２〜図２５について説明する。図２２〜図２５は、それぞれの図の（ａ）に示すように、音源がＡＵＸのみであって、他の音源に変更されない場合が示されている。このように図２２〜図２５では音源の変更が行われないため、図１８〜図２１に示した図とは異なり、ダイナミックレンジ制御部５において固定制御信号を受信した場合に行われる処理（アタック時間およびリリース時間として予め設定された値を使用する処理）も、リミッタ部６においてはリミッタオフセット信号を受信した場合に行われる処理（第２ルックアップテーブル部５８におけるレベル変換特性のリミッタオフセットの値を可変にする処理）も、さらに、出力制御部７においてはミュート信号を受信した場合に行われるミュート処理は行われない。
【０１２２】
但し、図２２〜図２５については、音源の変更がなされない場合であっても、それぞれの図の（ｂ）に示すように、ＡＵＸより入力される入力信号内で、時間経過毎に振幅差（レベル差）が生じている。
【０１２３】
なお、ＡＵＸの音源より出力される信号は１ｋＨｚの正弦波であり、図２２に示す（ｂ）において生じている振幅差は、音源からの信号におけるレベル差が６ｄＢの場合に該当し、図２３〜図２５に示す（ｂ）の振幅差は、レベル差が１８ｄＢの場合に該当している。また、図２４に示す場合においては、アタックリリース係数テーブル部４３におけるアタック時間変換テーブル（図１０（ａ））およびリリース時間変換テーブル（図１０（ｂ））をタイプＢからタイプＣに変更することにより制御速度を速めた設定となっており、図２５に示す場合においては、アタックリリース係数テーブル部４３のアタック時間とリリース時間をタイプＢのままとしているが、オフセット信号のＬ２の値を１２ｄＢから３ｄＢに変更している。なお、図２２〜図２５におけるその他のパラメータの設定に関しては、図１８〜図２１において説明した設定値と同様である。
【０１２４】
図２２と図２３とを比較すると、図２２および図２３の（ｂ）に示すように、音源から出力される信号のレベル差は、図２３に示される方が図２２に示される方よりも大きい。レベル差が大きい場合には、ダイナミックレンジ制御部５のアタックリリース係数テーブル部４３においてアタック時間およびリリース時間が短く設定されるため、急速に音量が制御され、一方で、レベル差が小さい場合には、ダイナミックレンジ制御部５のアタックリリース係数テーブル部４３においてアタック時間およびリリース時間が長く設定されるため、ゆっくりと音量が抑制されることになる。従って、図２２の（ｃ）に示されるＰ１部分およびＰ２部分において、振幅が安定するまでの時間が、図２３の（ｃ）に示されるＰ１部分およびＰ２部分において、振幅が安定するまでの時間に比べて緩やかとなっている。このため、信号レベルの変動状態に応じて制御速度を可変にすることが可能となり、急激な音量変化や緩やかな音量変化が生じた場合であっても、聴感上で違和感のない最適な制御を行うことが可能となる。
【０１２５】
さらに、図２３に示す（ｃ）のＰ１部分およびＰ２部分と、図２４に示す（ｃ）のＰ１部分およびＰ２部分とを比較すると、アタック時間変換テーブルおよびリリース時間変換テーブルが、図２３の場合においてはタイプＢに設定されるのに対して、図２４の場合にはタイプＣに設定されているため、図２４に示す方が、図２３に示す方よりも急激に音量制御が行われている。このように、アタック時間変換テーブルおよびリリース時間変換テーブルのタイプ変更を行うことにより、音量制御速度の調整を行うことができるため、例えば、入力信号における音楽のジャンル情報に応じて、アタック時間変換テーブルおよびリリース時間変換テーブルのタイプを適切に変更・選択することにより、ロックやクラシック等のあらゆるジャンルに適応した音量制御を行うことが容易となる。
【０１２６】
さらに、図２５（ｄ）のＰ３部分およびＰ４部分と、図２３に示す（ｄ）のＰ３部分およびＰ４部分とを比較すると、図２５に示す場合のリミッタオフセット信号のＬ２の値（３ｄＢ）の方が、図２３に示す場合のリミッタオフセット信号のＬ２の値（１２ｄＢ）よりも小さい値となっているので、ダイナミックレンジがやや低下することにはなるが、音源内での急激な音量の変化をより効果的に低減することが可能となる。このため、例えば、アクション映画の強大な銃声音を効果的に低減させることにより、適正なボリュームで良好に映画を試聴させることが容易となる。
【０１２７】
以上説明したように、本実施の形態に係る音量制御装置１では、ダイナミックレンジ制御部５の第１乗算部２１において、入力オフセット信号に基づいて音源毎に入力信号のオフセット処理を予め行ってから、第１レベル検出部２２、アタックリリース時間制御部２３および第１レベル制御部２４による音量制御を行う。このため、入力される信号の信号特性を予め考慮した上で、各音源より入力される信号の音量処理を適切に行うことが可能となる。また、音量制御を行う場合においても、音源の種別に基づいて予め補正ターゲットを決定し、決定された補正ターゲットの音量レベルの制御量を基準として他の音源の補正量を求めることができるので、音源毎の補正バランスを好適に確保することが容易となる。
【０１２８】
また、本実施の形態に係る音量制御装置１では、ダイナミックレンジ制御部５の第１レベル検出部２２において最大値検出を行った後に、検出結果に基づく最大値ホールド処理を行うのではなく、最大値検出の結果に基づく実効値検出を行い、この実効値検出に基づいて、入力信号毎の音量変化状態の検出を行う構成としているため、より好適に音量変動の抑制処理を行うことが可能となる。
【０１２９】
さらに、第１アタックリリースフィルタ部４２において音量制御を行う場合においては、アタック時間判定値が大きい値であればあるほど、アタック時間が小さな値となるように設定され、リリース時間判定値が大きい値であればあるほど、リリース時間が小さくなるように設定されている。このため、音源より入力される入力信号の音量変化量が大きくなると、音量制御の応答速度が速くなり、音源より入力される入力信号の音量変化量が小さくなると、音量制御の応答速度が遅くなる。従って、信号レベルの変動状態に応じて音量変動の抑制処理を変更することができ、急激な音量変化や緩やかな音量変化においても聴感上で違和感のない最適な制御を行うことが可能となる。
【０１３０】
さらに、音源が変更された場合において、従来より知られている音量制御装置では、音源変更に伴って入力される信号の音量が大きく変動してしまい、ダイナミックレンジ制御部における音量制御だけで迅速かつ十分に音量変動を抑制できない場合が生じ得る。一方で、本実施の形態に係る音量制御装置１では、聴取者等により音源の変更が行われた場合において、リミッタオフセット信号に基づいて、音源変更直後に所定時間（本実施の形態においては、図３に示す時間Ｔ３）だけ音量レベルを低減変動させる（急激に出力信号のレベルを低減させた後にゆっくりと回復させる）ことできるため、ダイナミックレンジ制御部５では制御しきれないほど信号の音量変動が激しい場合であっても、効果的に音量の変動を抑制することが可能となる。
【０１３１】
また、リミッタ部６の第２ルックアップテーブル部５８において使用されるリミッタオフセット値Ｌ２の設定を変更することにより、同一音源より出力される信号において急激に音量が変化する場合であっても、その音量の変化をより効果的に低減することが可能となる。
【０１３２】
これらのことから、本実施の形態に係る音量制御装置１では、音源より入力される信号の音量の変動状態に応じて制御速度を可変させて音量変動の抑制処理を行うダイナミックレンジ制御部５と、音源の変更処理に基づいて、高速に音量変動の抑制処理を行うリミッタ部６とを備えているので、あらゆる音源に対応した良好な音量制御を行うことが可能となる。
【０１３３】
以上、本発明に係る音量制御装置について、図面を用いて詳細に説明したが、本発明に係る音量制御装置は、上述した実施の形態に示した例に限定されるものではない。当業者であれば、特許請求の範囲に記載された範疇内において、各種の変更例または修正例に想到し得ることは明らかであり、それらについても当然に本発明の技術的範囲に属するものと了解される。
【符号の説明】
【０１３４】
１     …音量制御装置
３     …システム制御部（オフセット値設定手段）
４     …音源選択部
５     …ダイナミックレンジ制御部（オフセット処理手段、第１変動量補正手段）
６     …リミッタ部（第２変動量補正手段）
７     …出力制御部
１１   …（音源選択部の）第１固定ゲイン補正部
１２   …（音源選択部の）第２固定ゲイン補正部
１３   …（音源選択部の）第３固定ゲイン補正部
１４   …（音源選択部の）第４固定ゲイン補正部
１５   …（音源選択部の）選択部
１６   …（音源選択部の）ＤＣカット部
２１   …（ダイナミックレンジ制御部の）第１乗算部（オフセット処理手段）
２２   …（ダイナミックレンジ制御部の）第１レベル検出部（第１変動量補正手段）
２３   …（ダイナミックレンジ制御部の）アタックリリース時間制御部（第１変動量補正手段）
２４   …（ダイナミックレンジ制御部の）第１レベル制御部（第１変動量補正手段）
２５   …（ダイナミックレンジ制御部の）第２乗算部（第１変動量補正手段）
２７   …（第１レベル検出部の）第１最大値検出部
２８   …（第１レベル検出部の）実効値検出部
２９   …（第１レベル検出部の）第１ゲインオフセット部
３１   …（アタックリリース時間制御部の）第２レベル制限部
３２   …（アタックリリース時間制御部の）デシベル変換部
３３   …（アタックリリース時間制御部の）ＨＰＦ部
３４   …（アタックリリース時間制御部の）第２ゲインオフセット部
３５   …（アタックリリース時間制御部の）アタック最大値ホールド部
３６   …（アタックリリース時間制御部の）リリース最大値ホールド部
４１   …（第１レベル制御部の）第１レベル制限部
４２   …（第１レベル制御部の）第１アタックリリースフィルタ部
４３   …（第１レベル制御部の）アタックリリース係数テーブル部
４４   …（第１レベル制御部の）第１ルックアップテーブル部
５１   …（リミッタ部の）第２レベル検出部
５２   …（リミッタ部の）第２レベル制御部
５３   …（第２レベル検出部の）第２最大値検出部
５４   …（第２レベル検出部の）最大値ホールド部
５５   …（リミッタ部の）第３乗算部
５６   …（第２レベル制御部の）第３レベル制限部
５７   …（第２レベル制御部の）第２アタックリリースフィルタ部
５８   …（第２レベル制御部の）第２ルックアップテーブル部
６１   …（出力制御部の）第４乗算部
６２   …（出力制御部の）第３ゲインオフセット部
６３   …（出力制御部の）第５乗算部
【図１】
2011066604.tif 000003
【図２】
2011066604.tif 000004
【図３】
2011066604.tif 000005
【図４】
2011066604.tif 000006
【図５】
2011066604.tif 000007
【図６】
2011066604.tif 000008
【図７】
2011066604.tif 000009
【図８】
2011066604.tif 000010
【図９】
2011066604.tif 000011
【図１０】
2011066604.tif 000012
【図１１】
2011066604.tif 000013
【図１２】
2011066604.tif 000014
【図１３】
2011066604.tif 000015
【図１４】
2011066604.tif 000016
【図１５】
2011066604.tif 000017
【図１６】
2011066604.tif 000018
【図１７】
2011066604.tif 000019
【図１８】
2011066604.tif 000020
【図１９】
2011066604.tif 000021
【図２０】
2011066604.tif 000022
【図２１】
2011066604.tif 000023
【図２２】
2011066604.tif 000024
【図２３】
2011066604.tif 000025
【図２４】
2011066604.tif 000026
【図２５】
2011066604.tif 000027